(57)【特許請求の範囲】
【請求項１】
トレイとカードホルダとを具備した、デジタルメモリカードを固定するための装置であって、
前記トレイは、第１デジタルメモリカードを収容するように構成された第１溝と、該第１溝に直交して配置され且つ第２デジタルメモリカードを収容するように構成された第２溝と、を具備し、前記第１溝および第２溝は、部分的に重なった中空部を備えており、
前記カードホルダは第１バネと第２バネとを具備し、前記トレイが前記カードホルダ内に挿入された場合、前記第１バネおよび第２バネは前記中空部から突出し、前記第１デジタルメモリカードが前記第１溝内に収容された場合、前記第１バネは前記第１デジタルメモリカードの金属接点と接触し、前記第２デジタルメモリカードが前記第２溝内に収容された場合、前記第２バネは前記第２デジタルメモリカードの金属接点と接触することを特徴とする装置。
【請求項２】
前記トレイは挿入端および外側端をさらに具備し、前記カードホルダが挿入面をさらに具備し、且つ前記トレイの挿入端を前記挿入面から前記カードホルダ内に挿入するように構成されており、前記トレイが前記カードホルダ内に収容された場合、前記外側端は前記挿入面と重なることを特徴とする請求項１に記載の装置。
【請求項３】
前記トレイは段構造をさらに具備し、該段構造は前記第１溝と前記挿入端との間のトレイ側に配置されていることを特徴とする請求項２に記載の装置。
【請求項４】
複数の第２バネを備え、該第２バネは前記トレイの挿入端の方向に直交しており、且つ前記挿入面に対向した端部の片面に配列されていることを特徴とする請求項２に記載の装置。
【請求項５】
前記第２バネは第２固定スプリングピンを具備し、該ピンは前記第２バネを前記カードホルダに固定するように構成され、且つ外部回路基板と溶接されていることを特徴とする請求項４に記載の装置。
【請求項６】
複数の第１バネを備え、該第１バネは前記第２バネと前記挿入面との間に設けられ、前記トレイが挿入される方向に平行であり、且つ前記カードホルダの２つの側部に対称に配列されていることを特徴とする請求項２に記載の装置。
【請求項７】
前記第１バネは第１固定スプリングピンを具備し、該ピンは前記第１バネを前記カードホルダに固定するように構成され、且つ外部回路基板と溶接されていることを特徴とする請求項６に記載の装置。
【請求項８】
前記カードホルダはリミットスプリングピンをさらに具備し、前記トレイはトレイリミットをさらに具備し、前記トレイが前記カードホルダ内に挿入された場合、前記リミットスプリングピンは前記トレイリミットと協働して、前記トレイを前記カードホルダに固定することを特徴とする請求項１に記載の装置。
【請求項９】
前記カードホルダは検出ピンをさらに具備し、該検出ピンは前記第２バネの一側に配置されて、前記段構造の位置に一致しており、且つ前記第１デジタルメモリカードまたは第２デジタルメモリカードが、前記デジタルメモリカードを固定するための装置内に存在しているかどうかを検出するように構成されていることを特徴とする請求項３に記載の装置。
【請求項１０】
前記第１デジタルメモリカードはＮａｎｏ  ＳＩＭカードであり、前記第２デジタルメモリカードはＭｉｃｒｏ  ＳＤカードであることを特徴とする請求項１に記載の装置。
【発明の詳細な説明】
【技術分野】
【０００１】
本願は、２０１３年６月２８日に中国特許庁に出願された、題名「APPARATUS FOR FASTENING DIGITAL MEMORY CARD」の中国特許出願第２０１３１０２６８８２６．１号明細書の優先権を主張するものであり、当該出願の全体は参照されることによってここに含まれている。
【０００２】
本発明は移動通信技術の分野、特にデジタルメモリカードを固定するための装置に関連し、そのカードはＳＩＭカードおよびＳＤカードと互換性を有する。
【背景技術】
【０００３】
アップル社によって提案されたＮａｎｏ  ＳＩＭカードのデザイン案は、欧州電気通信標準化機構（ＥＴＳＩ）によって選択され、一方でノキア、ＲＩＭ、およびモトローラによって合同で提案された案は選択されなかった。ＥＴＳＩはその公式ウェブサイトにてニュースを発信し、日本の大阪において開催されたスマートカード技術委員会会議において、共通集積回路カード（UICC)について合意に至ったと宣言した。アップル社のＮａｎｏ  ＳＩＭカードの仕様（幅１２．３ｍｍ、高さ８．８ｍｍ、厚さ０．６７ｍｍ）が既存のＭｉｃｒｏ  ＳＩＭカードよりも４０％小さいことを機構は伝えた。最終的な設計解は、既存のＳＩＭカードとの互換性の欠点を保障し、我々が今日使用するＳＩＭカードと同一の機能を提示し続ける態様において、考案されるだろう。アップル社のＮａｎｏ  ＳＩＭカードの仕様は工業的に採用されており、多様な移動体通信業者、スマートカードプロバイダ、および移動体装置製造業者のすべてが関与している。Ｎａｎｏ  ＳＩＭカード標準の確認とともに、Ｎａｎｏ  ＳＩＭカードのカードホルダの設計適応も浮上するだろう。既存のＭｉｃｒｏ  ＳＩＭカードの幅広い応用に関連して、２つの加入者識別モジュールのためのより多くのデザインが、移動端末のデザインレイアウトの観点から浮上し、Ｍｉｃｒｏ  ＳＩＭカードおよびＮａｎｏ  ＳＩＭカードとの互換性を達成するだろう。しかしながら、一般的ユーザは１つのみのＳＩＭカードを使用するかもしれない。したがって、ユーザがＭｉｃｒｏ  ＳＩＭカードのみを使用する場合に、Ｎａｎｏ  ＳＩＭカードのカードホルダの空間が浪費され、Ｎａｎｏ  ＳＩＭカードホルダは別のアプリケーションのための拡張されることが不可能である。したがって、Ｎａｎｏ  ＳＩＭカードのカードホルダの互換性、例えばＳＤカードとの互換性に拡張し、端末の適用性を改良することが考慮され得る。しかしながら、既存の解決策においては、ＳＩＭカードおよびＳＤカードのためのツーインワンカードホルダは、一般的に積層構造を使用しており、２つのカードは異なったカードスロットに個別に対応している。結果的に、積層構造は、カードホルダの高さを過度に大きくさせ、基板専有面積を大きくしている。その理由により、Ｎａｎｏ  ＳＩＭカードおよびＳＤカードと互換性のあるカードホルダの設計解が必要とされ、それはユーザが異なった状況においてＮａｎｏ  ＳＩＭカードまたはＳＤカードの使用を選択し得る必要を満足する。
【発明の概要】
【発明が解決しようとする課題】
【０００４】
本発明の実施形態はデジタルメモリカードを固定するための装置を提供し、その装置はＮａｎｏ  ＳＩＭカードおよびＳＤカードに互換性があり、レイアウト空間を増大することなく異なったカードのユーザの使用の要求を満足するものである。
【課題を解決するための手段】
【０００５】
第１態様によれば、本発明の実施形態はデジタルメモリカードを固定するための装置を提供し、その装置はトレイおよびカードホルダを含み、
トレイは、第１デジタルメモリカードを収容するように構成された第１溝と、第１溝に直交して配置され且つ第２デジタルメモリカードを収容するように構成された第２溝と、を含み、第１溝および第２溝は、部分的に重なった中空部を備えており、
カードホルダは第１バネと第２バネとを含み、トレイがカードホルダ内に挿入された場合、第１バネおよび第２バネは中空部から突出し、第１デジタルメモリカードが第１溝内に収容された場合、第１バネは第１デジタルメモリカードの金属接点と接触し、第２デジタルメモリカードが第２溝内に収容された場合、第２バネは第２デジタルメモリカードの金属接点と接触する。
【０００６】
可能な第１実施態様においては、トレイは挿入端および外側端をさらに含み、カードホルダが挿入面をさらに含み、且つトレイの挿入端を挿入面からカードホルダ内に挿入するように構成されており、トレイがカードホルダ内に収容された場合、外側端は前記挿入面と重なる。
【０００７】
第１態様または第１態様の可能な第１実施態様を参照すると、可能な第２実施態様においては、トレイは段構造をさらに含み、段構造は第１溝と挿入端との間のトレイ側に配置されている。
【０００８】
第１態様または第１態様の可能な第１実施態様を参照すると、可能な第３実施態様においては、複数の第２バネを備え、第２バネはトレイの挿入端の方向に直交しており、且つ挿入面に対向した端部の片面に配列されている。
【０００９】
第１態様または第１態様の可能な第３実施態様を参照すると、可能な第４実施態様においては、第２バネは第２固定スプリングピンを含み、ピンは第２バネをカードホルダに固定するように構成され、且つ外部回路基板と溶接されている。
【００１０】
第１態様または第１態様の可能な第２実施態様を参照すると、可能な第４実施態様においては、可能な第５実施態様においては、複数の第１バネを備え、第１バネは第２バネと挿入面との間に設けられ、トレイが挿入される方向に平行であり、且つカードホルダの２つの側部に対称に配列されている。
【００１１】
第１態様または第１態様の可能な第５実施態様を参照すると、可能な第４実施態様においては、第１バネは第１固定スプリングピンを含み、ピンは第１バネをカードホルダに固定するように構成され、且つ外部回路基板と溶接されている。
【００１２】
可能な第７実施態様においては、カードホルダはリミットスプリングピンをさらに含み、トレイはトレイリミットをさらに含み、トレイがカードホルダ内に挿入された場合、リミットスプリングピンはトレイリミットと協働して、トレイをカードホルダに固定する。
【００１３】
第１態様または第１態様の可能な第２実施態様を参照すると、可能な第８実施態様においては、カードホルダは検出ピンをさらに含み、検出ピンは第２バネの一側に配置されて、段構造の位置に一致しており、且つ第１デジタルメモリカードまたは第２デジタルメモリカードが、デジタルメモリカードを固定するための装置内に存在しているかどうかを検出するように構成されている。
【００１４】
可能な第９実施態様においては、第１デジタルメモリカードはＮａｎｏ  ＳＩＭカードであり、第２デジタルメモリカードはＭｉｃｒｏ  ＳＤカードである。
【００１５】
本発明の実施形態において提供された、デジタルメモリカードを固定するための装置によれば、固定装置の基板専有面積は、有効な接触がＮａｎｏ  ＳＩＭカードおよびＭｉｃｒｏ  ＳＤカードの直交した位置設定によって実行される状態において最小化されることが可能であり、これによってレイアウト空間を増大することなく、デジタルメモリカードを固定するための装置を使用して異なったカードを使用するユーザの要求を満足している。
【図面の簡単な説明】
【００１６】
【図１】本発明の実施形態による、デジタルメモリカードを固定するための装置の概略を示した分解図である。
【図２】本発明の実施形態による、デジタルメモリカードを固定するための装置を示した上面図である。
【図３】Ｎａｎｏ  ＳＩＭカードが収容された場合の、本発明の実施形態によるトレイを示した概略図である。
【図４】Ｍｉｃｒｏ  ＳＤカードが収容された場合の、本発明の実施形態によるトレイを示した概略図である。
【図５】本発明の実施形態によるカードホルダを示した概略図である。
【図６】本発明の実施形態による、閉鎖／解放された場合のデジタルメモリカードを固定するための装置を示した概略図である。
【発明を実施するための形態】
【００１７】
以下には、本発明の技術的解決策が、添付図および実施形態を参照して詳細にさらに記載されている。
【００１８】
本発明の実施形態による、デジタルメモリカードを固定するための装置は、以下の通り図１および図２を参照して詳細に記載されている。図１は、本発明の実施形態１による、デジタルメモリカードを固定するための装置の概略的な分解図である。図２は、本発明の実施形態による、デジタルメモリカードを固定するための装置の上面図である。
【００１９】
図１に示されたように、デジタルメモリカードを固定するための装置はトレイ１およびカードホルダ２を含み、デジタルメモリカードを固定するための装置は、第１デジタルメモリカード３または第２デジタルメモリカード４を収容するように構成されている。好適に、第１デジタルメモリカード３はＳＩＭカードであり、第２デジタルメモリカード４はＳＤカードである。
【００２０】
特に、トレイ１は、第１デジタルメモリカード３を収容するように構成された第１溝１１および第２デジタルメモリカード４を収容するように構成された第２溝１２を含み、第２溝１２および第１溝１１は直交する態様において配置されており、第１溝１１の溝深さは第２溝１２の溝深さと同じであり、第１溝１１および第２溝１２は同一平面上にある。したがって、トレイ１内の第１デジタルメモリカード３の位置は、トレイ１内の第２デジタルメモリカード４の位置と直交している。第１溝１１および第２溝１２は、部分的に重なった中空部１３を備えている。
【００２１】
さらに、トレイ１は挿入端１４および外側端１５を含み、カードホルダ２は挿入面２３をさらに含んでいる。
【００２２】
またさらに、外側端１５はバッフルであり、第１溝１１および第２溝１２が配置された面に対して直交しており、外側端１５のサイズおよび形状は、挿入面２３のサイズおよび形状と同一である。
【００２３】
トレイ１およびカードホルダ２が組み立てられた場合、挿入端１４はカードホルダ２の挿入面２３から最初にカードホルダ内に挿入される。トレイ１がカードホルダ２内に完全に挿入されると、外側端１５は挿入面２３と重なって、トレイ１およびカードホルダ２の組み立て後にデジタルメモリカードを固定するための、平行六面体形状の装置の外側面の形成が完了する。
【００２４】
さらに、トレイ１は段構造１６をさらに含み、この構造は第１溝１１と挿入端１４との間のトレイ１の一側に配置され、段構造１６におけるトレイの幅は、段構造の無い位置におけるトレイの幅よりも小さい。
【００２５】
図２に示されたように、カードホルダ２は第１バネ２１および第２バネ２２を含んでいる。
【００２６】
図１および図２を参照すると、トレイ１がカードホルダ２内に挿入された場合、第１バネ２１および第２バネ２２は中空部１３から突出し、第１デジタルメモリカード３が第１溝１１内に収容された場合、第１バネ２１は第１デジタルメモリカード３の金属接点（図示略）と接触し、第２デジタルメモリカード４が第２溝１２内に収容された場合、第２バネ２２は第２デジタルメモリカード４の金属接点（図示略）と接触する。
【００２７】
さらに、第２バネ２２と挿入面２３との間に配置された複数の第１バネ２１が存在し、それらは、トレイ１が挿入された方向に平行であり、且つカードホルダ２の２つの側部に対称に配列されている。好適に、第１バネ２１は弾性の円弧構造であり、上向きに突出した中間部を備え、第１デジタルメモリカード３の金属接点と接触するように構成されている。
【００２８】
またさらに、第１バネ２１は第１固定スプリングピン２１１を含み、このピンは第１バネ２１をカードホルダ２に固定し且つ外部回路基板と溶接されるように構成されている。
【００２９】
さらに、複数の第２バネ２２が存在し、それらはトレイ１の挿入端の方向に直交しており、挿入面２３と対向した端部２４の片面に配列されている。好適に、第２バネ２２は弾性の円弧構造であり、上向きに突出した中間部を備え、第２デジタルメモリカード４の金属接点と接触するように構成されている。
【００３０】
またさらに、第２バネ２２は第２固定スプリングピン２２１を備え、このピンは第２バネ２２をカードホルダ２に固定し且つ外部回路基板と溶接されるように構成されている。
【００３１】
さらに、カードホルダ２はリミットスプリングピン２５をさらに含み、トレイ１はトレイリミット１７をさらに含んでいる。トレイ１がカードホルダ２内に挿入された場合、リミットスプリングピン２５はトレイリミット１７と協働し、トレイ１をカードホルダ２に固定する。
【００３２】
好適に、カードホルダ２は検出ピン２６をさらに含み、このピンは第２バネ２２の一側に配置され、第１デジタルメモリカード３または第２デジタルメモリカード４がデジタルメモリカードを固定するための装置内に存在しているかどうかを検出するように構成されている。特に、検出ピン２６は、カードホルダ２内において、第１バネ２１の１つのバネにおよび第２バネ２２の１つのバネに個別に接続されている。第１デジタルメモリカード３がカードホルダ２内に挿入された場合、第１デジタルメモリカード３の金属接点（図示略）は第１バネ２１を使用して検出ピン２６に電気的に接続され、第２デジタルメモリカード４の金属接点（図示略）は第２バネ２２を使用して検出ピン２６に電気的に接続される。第１デジタルメモリカード３または第２デジタルメモリカード４が存在するかどうかが、検出ピン２６によって受け取られた金属接点の電気信号を使用して検出される。カードホルダ２内の検出ピン２６の位置はトレイ１の段構造１６の位置に対応しており、トレイ１がカードホルダ２内に配置された場合、検出ピン２６はカードホルダ２によって妨げられることなく段構造１６から突出することが可能である。カードを検出する機能は、段構造１６の位置に検出ピン２６を配置することによって、追加の基板専有面積を増大することなく実行されることが可能である。
【００３３】
トレイ１が第１デジタルメモリカード３を保持し、カードホルダ２内に挿入された場合、第１デジタルメモリカード３の複数の金属接点（図示略）はカードホルダ２の複数の第１バネ２１と個別に接触する。第１バネ２１は弾性を有し、第１デジタルメモリカード３を弾性接点によってカードホルダの内壁に接近させて押圧しており、第１デジタルメモリカード３はデジタルメモリカードを固定するための装置に固定され、且つ第１バネ２１の第１固定スプリングピン２１１を使用して外部回路基板に接続され、第１デジタルメモリカード３の対応した機能を実装する。
【００３４】
トレイ１が第２デジタルメモリカード４を保持し、カードホルダ２内に挿入された場合、第２デジタルメモリカード４の複数の金属接点（図示略）はカードホルダ２の複数の第２バネ２２と個別に接触する。第２バネ２２は弾性を有し、このバネを介して第２デジタルメモリカード４はデジタルメモリカードを固定しるための装置に固定される。第２デジタルメモリカード４は第２バネ２２の第２固定スプリングピン２２１を使用して外部回路基板に接続され、第２デジタルメモリカード４の対応した機能を実装する。
【００３５】
本発明の実施形態１により提供されたデジタルメモリカードを固定するための装置において、第１溝および第２溝はトレイ上に直交して配置されており、それに応じて、第１バネおよび第２バネはカードスロット内に直交して配置されており、デジタルメモリカードを固定するための装置は２つのデジタルメモリカード、すなわちこの場合最小基板専有面積および最少高さにおいて効果的にＳＩＭカードおよびＳＤカードの互換性を有し、異なったカードの使用のユーザの要求を柔軟に満足している。本発明の実施形態において提供された、デジタルメモリカードを固定するための装置は、２つの加入者識別モジュールを備えた端末装置に特に適用可能である。
【００３６】
携帯電話の新世代ＳＩＭカード、すなわちＮａｎｏ  ＳＩＭカードのために、本発明の前述の実施形態において提供された、既存のＳＤカードのサイズに基づいたデジタルメモリカードを固定するための装置は、Ｍｉｃｒｏ  ＳＤカードおよびＮａｎｏ  ＳＩＭカードの互換性を達成するために特に適用可能である。さらに、本発明の前述の実施形態において提供された、デジタルメモリカードを固定するための装置は、Ｍｉｃｒｏ  ＳＩＭカードおよびＭｉｃｒｏ  ＳＤカードの互換性を達成するため、または類似の厚さおよびサイズの他のデジタルメモリカードの互換性を達成するためにも適用可能である。
【００３７】
Ｍｉｃｒｏ  ＳＤカード、Ｎａｎｏ  ＳＩＭカード、およびＭｉｃｒｏ  ＳＩＭカード、のサイズは、表１に示されている。
【００３８】
【表１】
0005867656.tif 000002
【００３９】
表１の通りに知られ得るように、Ｍｉｃｒｏ  ＳＤカードの幅はＮａｎｏ  ＳＩＭカードの長さに極めて接近しており、Ｍｉｃｒｏ  ＳＤカードの厚さもＮａｎｏ  ＳＩＭカードの厚さに非常に接近している。したがって、サイズは、本発明の前述の実施形態において提供された、直交様式のデジタルメモリカードの配置の解決策に、特に適用可能である。２つの加入者認識モジュールの互換性は、２つのカードのサイズ特性を十分に利用して最小基板占有面積のケースが実行され得る。
【００４０】
本発明の実施形態１における、デジタルメモリカードを固定するための装置に基づいて、図３〜図６を参照すると、特定の実施形態を使用して、Ｍｉｃｒｏ  ＳＤカードおよびＮａｎｏ  ＳＩＭカードと互換可能な、デジタルメモリカードを固定するための装置を以下に開示している。記載を明確にするために、本実施形態に関連した概略図においては、デジタルメモリカード（Ｍｉｃｒｏ  ＳＤカードおよびＮａｎｏ  ＳＩＭカード）の金属接点を備えた面の配置のための方向が下側として提供され、前側として提供された外側端が参照方向となるように特定されている。図３〜図６の上側、中間、下側、左側、および右側は、個々に正面、側面、後面、底面、および上面である。
【００４１】
図３は、Ｎａｎｏ  ＳＩＭカードが収容された場合の概略図である。図示されたように、Ｎａｎｏ  ＳＩＭカード３はトレイ１の第１溝１１内に収容されており、第１溝１１の形状およびサイズはＮａｎｏ  ＳＩＭカード３の形状およびサイズに合致している。Ｎａｎｏ  ＳＩＭカード３の６つの金属接点３１は、第１溝１１と第２溝１２との間において中空部１３から突出している。
【００４２】
図４は、Ｍｉｃｒｏ  ＳＤカードが収容された場合の概略図である。図示されたように、Ｍｉｃｒｏ  ＳＤカード４はトレイ１の第２溝１２に収容されており、第２溝１２の形状およびサイズはＭｉｃｒｏ  ＳＤカード４の形状およびサイズに合致している。Ｍｉｃｒｏ  ＳＤカード４の８つの金属接点４１は、第１溝１１と第２溝１２との間において中空部１３から突出している。
【００４３】
トレイ１は第２溝１２の左側にトレイリミット１７を備え、トレイ１の右側に段構造１６を備えている。さらに、トレイ１は挿入端１４および外側端１５を含んでいる。前述の部品はすべて実施形態１において詳細に記載されており、ここでは繰り返し記載されていない。
【００４４】
図５は、カードホルダの概略図である。図示されたように、カードホルダ２は第１バネ２１、第２バネ２２、挿入面２３、対向した端部２４、リミットスプリングピン（図示略）、および検出ピン（図示略）を含んでいる。前述の部品はすべて実施形態１において詳細に記載されており、ここでは繰り返し記載されていない。第１バネの数は６つであり、第２バネ２２の数は９つである。
【００４５】
図６は、装置が開閉された場合の、デジタルメモリカードを固定するための装置の概略図である。
【００４６】
Ｎａｎｏ  ＳＩＭカード（図示略）またはＭｉｃｒｏ  ＳＤカード（図示されている）を収容したトレイ１のカードホルダ２内への挿入の際に、トレイ１は図示された方向Ａにおいて挿入面２３からカードホルダ２内に挿入される。トレイ１がカードホルダ２内に完全に挿入された場合、すなわちデジタルメモリカードを固定するための装置が閉じられた場合、Ｎａｎｏ  ＳＩＭカードの６つの金属接点（図示略）はカードホルダ２の６つの第１バネ２１と個別に接触する。第１バネ２１は弾性を有し、これを介してＮａｎｏ  ＳＩＭカードはデジタルメモリカードを固定するための装置に固定される。Ｎａｎｏ  ＳＩＭカードは、第１バネ２１の第１固定スプリングピン２１１を使用して外部回路基板に接続され、このようにしてＮａｎｏ  ＳＩＭカードが組み込まれた端末装置は、Ｎａｎｏ  ＳＩＭカードを使用した通信のような機能を実装されることが可能である。それとは別に、Ｍｉｃｒｏ  ＳＤカードの８つの金属接点（図示略）は、カードホルダ２の９つの第２バネ２２と個別に接触し、Ｍｉｃｒｏ  ＳＤカードの金属接点（図示略）の右側の４番目の金属バネは、第２バネ２２の右側の４番目のバネおよび５番目のバネと接触する。第２バネ２２は弾性を有し、これを介してＭｉｃｒｏ  ＳＤカードはデジタルメモリカードを固定するための装置に固定される。Ｍｉｃｒｏ  ＳＤカードは、第２バネ２２の第２固定スプリングピン２２１を使用して外部回路基板に接続され、このようにしてＭｉｃｒｏ  ＳＤカードが組み込まれた端末装置は、Ｍｉｃｒｏ  ＳＤカードを使用して格納領域を拡張することが可能である。
【００４７】
デジタルメモリカードを固定するための装置が開かれた場合、Ｎａｎｏ  ＳＩＭカード（図示略）またはＭｉｃｒｏ  ＳＤカード（図示略）を収容したトレイ１は、図示された方向Ｂにおいてカードホルダ２から除去または取り出される。第１バネ２１および第２バネ２２の両方は弾性の円弧構造であり、したがって、トレイ１の除去または取り出しの工程において、トレイ１がＮａｎｏ  ＳＩＭカードまたはＭｉｃｒｏ  ＳＤカードの金属接点に引っかかることが回避され得る。トレイを移動するための特別な様式は、プッシュ−プル（押−引）様式またはプッシュ−プッシュ（押−押）様式とされ得る。
【００４８】
本発明の実施形態においては、Ｍｉｃｒｏ  ＳＤカードの幅がＮａｎｏ  ＳＩＭカードの長さに極めて接近しており、Ｍｉｃｒｏ  ＳＤカードの厚さもＮａｎｏ  ＳＩＭカードの厚さに非常に接近しているとの特徴を利用して、およびＮａｎｏ  ＳＩＭカードの位置をＭｉｃｒｏ  ＳＤカードの位置に直交するように設定することによって、Ｍｉｃｒｏ  ＳＤカードおよびＮａｎｏ  ＳＩＭカードの互換性を有するデジタルメモリカードを固定するための装置が提供されており、この装置は有効な接触が実行され得る状態において固定装置の基板占有面積を最小化している。このように、異なったカードを使用するユーザの要求は、レイアウトスペースを増大することなく、デジタルメモリカードを固定するための装置を使用することによって柔軟に満足され得る。
【００４９】
前述の特別な実施形態はさらに、本発明の目標となる、技術的な解決策、および有利な効果を詳細に記載している。前述の記載は、単なる本発明の特定の実行様式であるが、本発明の保護範囲を限定する目的ではないことが理解されるべきである。本発明の概念および原理から逸脱することなく、任意の改造、等価の置換、または改良が、本発明の保護範囲内に落とし込まれる。
【符号の説明】
【００５０】
１  ・・・トレイ
２  ・・・カードホルダ
３  ・・・第１デジタルメモリカード
４  ・・・第２デジタルメモリカード
１１  ・・・第１溝
１２  ・・・第２溝
１３  ・・・中空部
１４  ・・・挿入端
１５  ・・・外側端
１６  ・・・段構造
１７  ・・・トレイリミット
２１  ・・・第１バネ
２２  ・・・第２バネ
２３  ・・・挿入面
２５  ・・・リミットスプリングピン
２６  ・・・検出ピン
３１、４１  ・・・金属接点
２１１  ・・・第１固定スプリングピン
２２１  ・・・第２固定スプリングピン
【図１】
0005867656.tif 000003
【図２】
0005867656.tif 000004
【図３】
0005867656.tif 000005
【図４】
0005867656.tif 000006
【図５】
0005867656.tif 000007
【図６】
0005867656.tif 000008